(57)【特許請求の範囲】
【請求項１】
弾性ワイヤによって膨縮自在に形成されたワイヤループが操作ワイヤの先端に連結された構成のワイヤユニットをシースユニットに通して使用される内視鏡用ワイヤループ型処置具において、
上記ワイヤループを差し込んで窄んだ状態に保持することができ且つ上記ワイヤループとそれに連結された上記操作ワイヤを一連に通過させることができる管状部材を上記ワイヤユニットに取り付けると共に、上記シースユニットの基端部には、上記ワイヤユニットが挿通される挿通路に真っ直ぐに連通する状態に上記管状部材を係合させてそこに留めるための管状部材係合部を設け、
上記管状部材を上記管状部材係合部に係合させてそこに留めることにより、上記ワイヤループを、窄んだ状態のままで上記管状部材内から上記シースユニットの挿通路内に直接押し込むことができるようにしたことを特徴とする内視鏡用ワイヤループ型処置具。
【請求項２】
上記シースユニットが、可撓性チューブからなるシースとその基端に取り付けられた口金とを含み、上記管状部材係合部が上記口金に形成されている請求項１記載の内視鏡用ワイヤループ型処置具。
【請求項３】
上記管状部材係合部は上記管状部材が挿入される孔であって、挿入された上記管状部材の先端が突き当たる段差が内面に形成されている請求項１又は２記載の内視鏡用ワイヤループ型処置具。
【請求項４】
上記管状部材が可撓性チューブによって形成されていて、全長にわたる切れ目が形成されている請求項１、２又は３記載の内視鏡用ワイヤループ型処置具。
【請求項５】
上記管状部材が、上記孔内に納まるパイプで形成されている請求項３記載の内視鏡用ワイヤループ型処置具。
【発明の詳細な説明】
【０００１】
【発明の属する技術分野】
この発明は、先端の処置部材が弾性ワイヤによって膨縮自在なループ状に形成された内視鏡用ワイヤループ型処置具に関する。
【０００２】
【従来の技術】
内視鏡用スネアや、内視鏡用バスケット型把持具等のような内視鏡用ワイヤループ型処置具は、一般に、内視鏡の処置具挿通チャンネルに挿脱されるシース内に挿通された操作ワイヤの先端にワイヤループが連結されていて、手元側から操作ワイヤを進退させることによりワイヤループがシースの先端から出入りし、シース内ではワイヤループが窄まり、シースの外部では自己の弾性により膨らむようになっている。
【０００３】
【発明が解決しようとする課題】
そのような内視鏡用ワイヤループ型処置具は、ワイヤループに操作ワイヤが連結されたワイヤユニットだけを新品交換する場合が多くなってきており、ユーザーはワイヤユニットを自分でシースユニットに通す必要がある。
【０００４】
しかし、ワイヤユニットをシースユニットに通すには、弾力的に広がっている形状のワイヤループを指先で細めながらシース側に挿入しなければならない（ワイヤユニットの他端側は、一般にシース内に入らない太さになっている）。
【０００５】
そのため、ワイヤユニットをシースユニットに通そうとしても失敗することが多く、作業に非常に時間がかかるだけでなく、ワイヤループ部分を破損してしまうことも珍しくなかった。
【０００６】
そこで本発明は、ユーザーがワイヤユニットをシースユニットに容易に挿入して組み立てることができる内視鏡用ワイヤループ型処置具を提供することを目的とする。
【０００７】
【課題を解決するための手段】
上記の目的を達成するため、本発明の内視鏡用ワイヤループ型処置具は、弾性ワイヤによって膨縮自在に形成されたワイヤループが操作ワイヤの先端に連結された構成のワイヤユニットをシースユニットに通して使用される内視鏡用ワイヤループ型処置具において、上記ワイヤループを差し込んで窄んだ状態に保持するための管状部材を上記ワイヤユニットに取り付けると共に、上記シースユニットには、上記ワイヤユニットが挿通される挿通路に真っ直ぐに連通する状態に上記管状部材を係合させるための管状部材係合部を設け、上記管状部材を上記管状部材係合部に係合させることにより、上記ワイヤループを、窄んだ状態のままで上記管状部材内から上記シースユニットの挿通路内に直接押し込むことができるようにしたことを特徴とする。
【０００８】
なお、上記シースユニットが、可撓性チューブからなるシースとその基端に取り付けられた口金とを含み、上記管状部材係合部が上記口金に形成されていてもよく、上記管状部材係合部は、上記管状部材が挿入される孔であってもよい。
【０００９】
また、上記管状部材が可撓性チューブによって形成されていて、全長にわたる切れ目が形成されていてもよい。
【００１０】
【発明の実施の形態】
図面を参照して本発明の実施の形態を説明する。
図４は、内視鏡用スネアを示しており、図示されていない内視鏡の処置具挿通チャンネルに挿脱されるシース１１は、例えば四フッ化エチレン樹脂チューブ等のような電気絶縁性の可撓性チューブにより形成されている。
【００１１】
シース１１の基端には、基端口金１２が連結固定されており、手元側において術者又は補助者により操作される操作部３０に対して基端口金１２が着脱自在に連結されている。
【００１２】
シース１１内には、例えばステンレス鋼線材からなる操作ワイヤ２１が軸線方向に進退自在に全長にわたって挿通配置されており、操作ワイヤ２１の先端には導電性の弾性ワイヤからなるワイヤループ２２が連結されている。
【００１３】
ワイヤループ２２は、操作ワイヤ２１が操作部３０側から進退操作されることによりシース１１の先端内に出入りし、シース１１外においては図４に一点鎖線で示されるように自己の弾性によってループ状に広がり、シース１１内に引き込まれることによって窄まる。
【００１４】
このように構成された内視鏡用スネアにおいて、シース１１と基端口金１２とで一つのユニット（シースユニット１０）が形成され、操作ワイヤ２１とワイヤループ２２とで一つのユニット（ワイヤユニット２０）が形成されている。
【００１５】
図５はシースユニット１０の基端側の部分を示しており、シース１１の基端部に連結固定された基端口金１２には、シース１１の軸線に対して真っ直ぐに貫通孔１３が形成されていて、それ対して連通する注射筒受け１４がＴ字状に側方に突出形成されている。
【００１６】
基端口金１２の、シース１１が連結されている側と反対側の位置には、筒状部材１５がねじ込み結合されている。なお、筒状部材１５は製造上の都合によって二つの部品に分けられているが、機能的には一部品で差し支えない。
【００１７】
筒状部材１５の軸線位置には、基端口金１２の貫通孔１３と真っ直ぐに通じる貫通孔１６が穿設されており、操作ワイヤ２１がそれらの中を通過するようになっている。
【００１８】
筒状部材１５の突端側の部分には、貫通孔１６より太い内径の受け孔１８（管状部材係合部）が座ぐり孔状に形成されている。１７は、操作ワイヤ２１の外周面との間をシールするためのＯリングである。
【００１９】
図６はワイヤユニット２０を示しており、操作ワイヤ２１とワイヤループ２２とはシースユニット１０内を通過自在な連結パイプ２３によって連結固着されており、操作ワイヤ２１の基端側には、操作部３０に配置された操作部材に対して着脱自在に係合される端部口金２４が取り付けられている。この端部口金２４は、シースユニット１０内を通過することができない太さを有している。
【００２０】
ワイヤユニット２０は、それ単独のユニットの状態で出荷され、ユーザーがワイヤユニット２０をシースユニット１０に通して使用状態に組み立てる必要がある。そこで、本発明のワイヤユニット２０は、図７ないし図９に示されるように、ワイヤループ２２を保護パイプ２５（管状部材）に差し込んだ状態で出荷される。
【００２１】
図７は、ワイヤループ２２が保護パイプ２５に差し込まれる前の状態を示し、図８は保護パイプ２５の断面形状を示し、図９は、ワイヤループ２２が保護パイプ２５に差し込まれた状態を示している。
【００２２】
保護パイプ２５は、図８に示されるように円形断面のチューブであり、例えば四フッ化エチレン樹脂チューブ等により形成されている。そして、ワイヤユニット２０と共に（或いは、別々に）予め消毒滅菌しておく。
【００２３】
保護パイプ２５の内径寸法は、筒状部材１５の貫通孔１６とほぼ同等であり、そこに差し込まれたワイヤループ２２は、図９に示されるように、弾性変形して細く窄んだ状態になっている。また保護パイプ２５の外径寸法は、貫通孔１６の受け孔１８にほぼピッタリと嵌め込まれる太さに形成されている。
【００２４】
図１ないし図３は、ワイヤユニット２０をシースユニット１０に通して組み立てる際の状態を示しており、まず図１に示されるように、ワイヤループ２２が窄んだ状態に差し込まれた保護パイプ２５を、そのままの状態で受け孔１８に差し込む。
【００２５】
そして、保護パイプ２５を受け孔１８内に完全に差し込んだら、図２に示されるように手元側から操作ワイヤ２１を押し込む。すると、ワイヤループ２２が窄んだ状態のままで保護パイプ２５内から基端口金１２側の貫通孔１６，１３内へ直接押し込まれ、さらにシース１１内へと押し込まれる。したがって、ワイヤループ２２を傷めたりすることなく、極めて容易かつ短時間のうちにワイヤユニット２０をシースユニット１０に通す作業を行うことができる。
【００２６】
そのようにして、ワイヤループ２２をシース１１の先端まで押し込んだら、図３に示されるように、受け孔１８内から保護パイプ２５を手元側に引き出して、シースユニット１０とワイヤユニット２０を各々操作部３０に連結する。
【００２７】
なお、この実施の形態においては、保護パイプ２５を受け孔１８内から引き出し易いように、保護パイプ２５の長さを受け孔１８の深さより長く形成して、保護パイプ２５が受け孔１８内に完全に嵌まり込まないようになっている。
【００２８】
なお、本発明にはその他各種の実施の形態があり、例えば図１０及び図１１に示されるように、保護パイプ２５に、全長にわたる切れ目２５１を軸線と平行方向に形成してもよい。
【００２９】
このような切れ目２５１を形成すると、図１２に示されるように、筒状部材１５から少し引き出した保護パイプ２５を側方に取り外すことができるので、ワイヤループ２２をシースユニット１０側に押し出した後、保護パイプ２５をいつでも取り外すことができる。
【００３０】
また、図１３及び図１４に示されるように、保護パイプ２５を受け孔１８内にすっぽり納まる金属製のパイプで形成して、ワイヤユニット２０をシースユニット１０に挿通した後、保護パイプ２５をそのまま受け孔１８内に残した状態で使用するようにしてもよい。
【００３１】
なお、本発明は内視鏡用スネアだけでなく、内視鏡用バスケット型回収具その他、弾性ワイヤによって膨縮自在に形成されたワイヤループが操作ワイヤの先端に連結された構成のワイヤユニットをシースユニットに通して使用される内視鏡用ワイヤループ型処置具に広く適用することができる。
【００３２】
【発明の効果】
本発明によれば、ワイヤループを差し込んで窄んだ状態に保持するための管状部材をワイヤユニットに取り付けて、シースユニットには管状部材を係合させるための管状部材係合部を設けたことにより、ワイヤループを、窄んだ状態のままで管状部材内からシースユニットの挿通路内に直接押し込むことができるので、ワイヤループを破損することなく、ユーザーがワイヤユニットをシースユニットに容易に挿入して組み立てることができる。
【図面の簡単な説明】
【図１】本発明の第１の実施の形態のワイヤユニットがシースユニットに差し込まれる直前の状態を示す側面断面図である。
【図２】本発明の第１の実施の形態のワイヤユニットがシースユニットに差し込まれ始めた状態を示す側面断面図である。
【図３】本発明の第１の実施の形態のワイヤユニットがシースユニットに差し込まれ終わった状態を示す側面断面図である。
【図４】本発明の第１の実施の形態の内視鏡用スネアの外観図である。
【図５】本発明の第１の実施の形態のシースユニットの基端部分の側面断面図である。
【図６】本発明の第１の実施の形態のワイヤユニットの側面図である。
【図７】本発明の第１の実施の形態のワイヤユニットに保護パイプが取り付けられる直前の状態の側面断面図である。
【図８】本発明の第１の実施の形態の保護パイプの正面断面図である。
【図９】本発明の第１の実施の形態のワイヤユニットに保護パイプが取り付けられた状態の側面断面図である。
【図１０】本発明の第２の実施の形態の保護パイプの正面断面図である。
【図１１】本発明の第２の実施の形態のワイヤユニットに保護パイプが取り付けられる直前の状態の側面断面図である。
【図１２】本発明の第２の実施の形態の保護パイプが取り外される際の状態の側面図である。
【図１３】本発明の第３の実施の形態のワイヤユニットに保護パイプが取り付けられた状態の側面断面図である。
【図１４】本発明の第３の実施の形態のワイヤユニットがシースユニットに差し込まれ終わった状態を示す側面断面図である。
【符号の説明】
１０  シースユニット
１１  シース
１２  基端口金
１３  貫通孔
１５  筒状部材
１６  貫通孔
１８  受け孔（管状部材係合部）
２０  ワイヤユニット
２１  操作ワイヤ
２２  ワイヤループ
２５  保護パイプ（管状部材）
【図１】
0004295849.tif 000002
【図２】
0004295849.tif 000003
【図３】
0004295849.tif 000004
【図４】
0004295849.tif 000005
【図５】
0004295849.tif 000006
【図６】
0004295849.tif 000007
【図７】
0004295849.tif 000008
【図８】
0004295849.tif 000009
【図９】
0004295849.tif 000010
【図１０】
0004295849.tif 000011
【図１１】
0004295849.tif 000012
【図１２】
0004295849.tif 000013
【図１３】
0004295849.tif 000014
【図１４】
0004295849.tif 000015